【手続補正書】
【提出日】平成18年10月4日(2006.10.4)
【手続補正１】
【補正対象書類名】明細書
【補正対象項目名】特許請求の範囲
【補正方法】変更
【補正の内容】
【特許請求の範囲】
【請求項１】  複数の試薬パッド（２６）を有する試薬試験片（１４）を、該試薬試験片（１４）を流体サンプルと接触させた後で検査するための装置であって、
該試薬試験片（１４）を、第一の試薬試験片検査位置から第二の試薬試験片検査位置へと移送するようにした運搬システム（８０）と、
該第一の試薬試験片検査位置で該試薬試験片（１４）の該試薬パッド（２６）を照射するように適合された光源（６４）と、該試薬試験片（１４）が該第一の試薬試験片検査位置に配置され、かつ、該光源（６４）によって照射されているとき、該試薬試験片（１４）の該試薬パッド（２６）からの光を検出するように適合された、該光源（６４）に付随する光検出器（６６）と、を有し、該第一の試薬試験片検査位置に付設され、かつ、該試薬試験片（１４）の複数の該試薬パッド（２６）を光学的に検査するように適合された第一の読取りヘッド（６０）と、
該第二の試薬試験片検査位置で該試薬試験片（１４）の該試薬パッド（２６）を照射するように適合された光源（６８）と、該試薬試験片（１４）が該第二の試薬試験片検査位置に配置され、かつ、該光源（６８）によって照射されているとき、該試薬試験片（１４）の該試薬パッド（２６）からの光を検出するように適合された、該光源（６８）に付随する光検出器（７０）と、を有し、該第二の試薬試験片検査位置に付設され、かつ、該試薬試験片（１４）の複数の該試薬パッド（２６）を光学的に検査するように適合された第二の読取りヘッド（６２）と、
を含むことを特徴とする装置。
【請求項２】  該光検出器（６６、７０）の一方が複数の検出器を含み、該検出器のそれぞれが、異なる波長の光を検出するようになっている、請求項１記載の装置。
【請求項３】  該光検出器（６６、７０）が照射信号を発し、かつ、該装置が、該照射信号に関連する信号が保存される記憶装置（１６４）をさらに含む、請求項１記載の装置。
【請求項４】  該試薬パッド（２６）が光学的に順次検査されるよう、該第一及び第二の読取りヘッド（６０、６２）を該試薬試験片（１４）の長手方向に対して並行な方向に動かすための位置決めシステム（５２、５４、５６）をさらに含む、請求項１記載の装置。
【請求項５】  該運搬システム（８０）が、複数の試薬試験片（１４）を同時に動かすようになっている、請求項１記載の装置。
【請求項６】  複数の試薬パッド（２６）を有する試薬試験片（１４）を、該試薬試験片（１４）を流体サンプルと接触させた後で検査するための装置であって、
複数の該試薬試験片（１４）を第一の試薬試験片検査位置に移送し、複数の該試薬試験片（１４）を第二の試薬試験片検査位置に移送するようにした運搬システム（８０）と、
該第一の試薬試験片検査位置で該第一の試薬試験片（１４）の該試薬パッド（２６）を照射するように適合された光源（６４）と、該第一の試薬試験片（１４）が該第一の試薬試験片検査位置に配置され、かつ、該光源（６４）によって照射されているとき、該第一の試薬試験片（１４）の該試薬パッド（２６）からの光を検出するように適合された、該光源（６４）に付随する光検出器（６６）と、を有し、該第一の試薬試験片検査位置に付設され、かつ、該試薬試験片（１４）それぞれの該試薬パッド（２６）を光学的に検査するように適合された第一の読取りヘッド（６０）と、
該第二の試薬試験片検査位置で該第二の試薬試験片（１４）の該試薬パッド（２６）を照射するように適合された光源（６８）と、該第二の試薬試験片（１４）が該第二の試薬試験片検査位置に配置され、かつ、該光源（６８）によって照射されているとき、該第二の試薬試験片（１４）の該試薬パッド（２６）からの光を検出するように適合された、該光源（６８）に付随する光検出器（７０）と、を有し、該第二の試薬試験片検査位置に付設され、該試薬試験片（１４）それぞれの該試薬パッド（２６）を光学的に検査するようにした第二の読取りヘッド（６２）と、
を含むことを特徴とする装置。
【請求項７】  該試薬パッド（２６）が光学的に順次検査されるよう、該第一及び第二の読取りヘッド（６０、６２）の一方を該試薬試験片（１４）の長手方向に対して並行な方向に動かすための位置決めシステム（５２、５４、５６）をさらに含む、請求項６記載の装置。
【請求項８】  該光検出器（６６、７０）の一方が複数の検出器を含み、該検出器のそれぞれが、異なる波長の光を検出するようになっている、請求項６記載の装置。
【請求項９】  該光検出器（６６、７０）が照射信号を発し、かつ、該装置が、該照射信号に関連する信号が保存される記憶装置（１６４）をさらに含む、請求項６記載の装置。
【請求項１０】  該運搬システム（８０）が、複数の試薬試験片（１４）を同時に動かすようになっている、請求項６記載の装置。
【請求項１１】  それぞれが長手と、該長手方向に配置された複数の試薬パッド（２６）とを有する試薬試験片（１４）を、該試薬試験片（１４）を流体サンプルと接触させた後で検査するための装置であって、
複数の該試薬試験片（１４）を第一の試薬試験片検査位置に移送し、複数の該試薬試験片（１４）を第二の試薬試験片検査位置に移送するようにした運搬システム（８０）と、
該第一の試薬試験片検査位置で該第一の試薬試験片（１４）を照射するように適合された光源（６４）と、該第一の試薬試験片（１４）が該第一の試薬試験片検査位置に配置され、かつ、該光源（６４）によって照射されているとき、該第一の試薬試験片（１４）からの光を検出するように適合されている、該光源（６４）に付随する光検出器（６６）と、を有する、該第一の試薬試験片検査位置に付設された第一の読取りヘッド（６０）と、
該第二の試薬試験片検査位置で該第二の試薬試験片（１４）を照射するように適合された光源（６８）と、該第二の試薬試験片（１４）が該第二の試薬試験片検査位置に配置され、かつ、該光源（６８）によって照射されているとき、該第二の試薬試験片（１４）からの光を検出するように適合されている、該光源（６８）に付随する光検出器（７０）と、を有する、該第二の試薬試験片検査位置に付設された第二の読取りヘッド（６２）と、
該第一の試薬試験片（１４）が該第一の試薬試験片検査位置に配置されているとき該第一の読取りヘッド（６０）が該第一の試薬試験片（１４）上に配置された複数の該試薬パッド（２６）を順次検査するよう、該第一の読取りヘッド（６０）を選択的に位置決めし、該第二の試薬試験片（１４）が該第二の試薬試験片検査位置に配置されているとき該第二の読取りヘッド（６２）が該第二の試薬試験片（１４）上に配置された複数の該試薬パッド（２６）を順次検査するよう、該第二の読取りヘッド（６２）を選択的に位置決めするようになっている、該第一及び第二の読取りヘッド（６０、６２）と動作的に結合した読取りヘッド位置決めシステム（５２、５４、５６）と、
を含むことを特徴とする装置。
【請求項１２】  該位置決めシステム（５２、５４、５６）が、該第一及び第二の読取りヘッド（６０、６２）を一緒に動かすようになっている、請求項１１記載の装置。
【請求項１３】  該第一及び第二の読取りヘッド（６０、６２）に付設された該光検出器（６６、７０）によって検出された光の量に関連する信号を保存する記憶装置（１６４）をさらに含む、請求項１１記載の装置。
【請求項１４】  該光検出器（６６、７０）の一方が複数の検出器を含み、該検出器のそれぞれが、異なる波長の光を検出するようになっている、請求項１１記載の装置。
【請求項１５】  該運搬システム（８０）が、複数の試薬試験片（１４）を該第一及び第二の読取りヘッド（６０、６２）に対して同時に動かすようになっている、請求項１１記載の装置。
【請求項１６】  流体サンプルと接触させた後に試薬試験片（１４）を自動的に処理する方法であって、
（ａ）該試薬試験片（１４）を第一の試薬試験片検査位置に自動的に移送する工程と、
（ｂ）該試薬試験片（１４）が該第一の検査位置にあるとき、第一の読取りヘッド（６０）を該試薬試験片（１４）に対して位置決めする工程と、
（ｃ）該試薬試験片（１４）が該第一の検査位置で照射されているときに該試薬試験片（１４）から受けた光を検出する工程と、
（ｄ）該試薬試験片（１４）が該第一の検査位置に配置されているとき該試薬試験片（１４）から検出される光の量に相関する信号を記憶装置に記憶する工程と、
（ｅ）該試薬試験片（１４）を第二の試薬試験片検査位置に自動的に移す工程と、
（ｆ）該試薬試験片（１４）が該第二の検査位置にあるとき、第二の読取りヘッド（６２）を該試薬試験片（１４）に対して配置する工程と、
（ｇ）該試薬試験片（１４）が該第二の検査位置で照射されているときに該試薬試験片（１４）から受けた光を検出する工程と、
（ｈ）該試薬試験片（１４）が該第二の検査位置に配置されているとき該試薬試験片（１４）から検出された光の量に相関する信号を記憶装置（１６４）に保存する工程と、
を含むことを特徴とする方法。
【請求項１７】  試薬試験片（１４）がその長手方向に配置された複数の試薬パッド（２６）を有し、
工程（ｂ）が、該第一の読取りヘッド（６０）を該試薬試験片（１４）の複数の該試薬パッド（２６）上に順次配置する工程を含み、
工程（ｃ）が、該試薬試験片（１４）が該第一の検査位置で照射されているときに該試薬試験片（１４）の複数の該試薬パッド（２６）から受けた光を検出する工程を含み、
工程（ｄ）が、該試薬試験片（１４）が該第一の検査位置に配置されているとき該試薬試験片（１４）の複数の該試薬パッド（２６）から検出された光の量に関連する信号を記憶装置（１６４）に保存する工程を含む、請求項１６記載の方法。